【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
番組の属性に関する番組属性情報を構成する複数の番組属性名を提示する提示手段と、
前記提示手段により提示された前記番組属性名に基づく前記番組属性情報のユーザによる選択を受け付ける受付手段と、
前記受付手段により選択が受け付けられた前記番組属性情報を記憶する記憶手段と、
放送される番組に関する放送番組情報を取得する第１の取得手段と、
前記記憶手段に記憶された前記番組属性情報を構成する番組を検索するための検索条件を取得する第２の取得手段と、
前記第１の取得手段により取得された前記放送番組情報と、前記第２の取得手段により取得された前記検索条件を比較する比較手段と、
前記比較手段による比較結果に基づいて、前記第１の取得手段により取得された前記放送番組情報が、前記第２の取得手段により取得された前記検索条件を満足する場合、前記第１の取得手段により取得された前記放送番組情報に対応する前記番組を録画予約する予約手段と
を備えることを特徴とする情報処理装置。
【請求項２】
前記提示手段は、前記番組属性名として、洋画、昼のメロドラマ、再放送ドラマ、野球、サッカー、深夜バラエティ、演歌、クラシック、ニュース、料理、温泉、または囲碁・将棋等を含む番組属性名を提示する
ことを特徴とする請求項１に記載の情報処理装置。
【請求項３】
前記第２の取得手段は、前記検索条件として、前記番組のジャンル、前記番組が放送される曜日、前記番組が放送される時間帯、前記番組の長さ、前記番組のタイトルもしくは前記番組の内容を紹介する詳細情報に含まれるキーワード、または、前記番組のタイトルもしくは前記番組の内容を紹介する詳細情報に含まれることを排除する排除キーワードを含む検索条件を取得する
ことを特徴とする請求項１に記載の情報処理装置。
【請求項４】
前記番組属性名と前記検索条件を含む前記番組属性情報を、ネットワークを介して他の情報処理装置から受信する受信手段をさらに備え、
前記提示手段は、前記受信手段により受信された前記番組属性情報に含まれる前記番組属性名を提示する
ことを特徴とする請求項１に記載の情報処理装置。
【請求項５】
情報処理装置の情報処理方法において、
番組の属性に関する番組属性情報を構成する複数の番組属性名を提示する提示ステップと、
前記提示ステップの処理により提示された前記番組属性名に基づく前記番組属性情報のユーザによる選択を受け付ける受付ステップと、
前記受付ステップの処理により選択が受け付けられた前記番組属性情報の記憶を制御する記憶制御ステップと、
放送される番組に関する放送番組情報を取得する第１の取得ステップと、
前記記憶制御ステップの処理により記憶が制御された前記番組属性情報を構成する番組を検索するための検索条件を取得する第２の取得ステップと、
前記第１の取得ステップの処理により取得された前記放送番組情報と、前記第２の取得ステップの処理により取得された前記検索条件を比較する比較ステップと、
前記比較ステップの処理による比較結果に基づいて、前記第１の取得ステップの処理により取得された前記放送番組情報が、前記第２の取得ステップの処理により取得された前記検索条件を満足する場合、前記第１の取得ステップの処理により取得された前記放送番組情報に対応する前記番組を録画予約する予約ステップと
を含むことを特徴とする情報処理方法。
【請求項６】
情報処理装置のプログラムであって、
番組の属性に関する番組属性情報を構成する複数の番組属性名を提示する提示ステップと、
前記提示ステップの処理により提示された前記番組属性名に基づく前記番組属性情報のユーザによる選択を受け付ける受付ステップと、
前記受付ステップの処理により選択が受け付けられた前記番組属性情報の記憶を制御する記憶制御ステップと、
放送される番組に関する放送番組情報を取得する第１の取得ステップと、
前記記憶制御ステップの処理により記憶が制御された前記番組属性情報を構成する番組を検索するための検索条件を取得する第２の取得ステップと、
前記第１の取得ステップの処理により取得された前記放送番組情報と、前記第２の取得ステップの処理により取得された前記検索条件を比較する比較ステップと、
前記比較ステップの処理による比較結果に基づいて、前記第１の取得ステップの処理により取得された前記放送番組情報が、前記第２の取得ステップの処理により取得された前記検索条件を満足する場合、前記第１の取得ステップの処理により取得された前記放送番組情報に対応する前記番組を録画予約する予約ステップと
を含むことを特徴とするコンピュータが読み取り可能なプログラムが記録されている記録媒体。
【請求項７】
情報処理装置を制御するコンピュータが実行可能なプログラムであって、
番組の属性に関する番組属性情報を構成する複数の番組属性名を提示する提示ステップと、
前記提示ステップの処理により提示された前記番組属性名に基づく前記番組属性情報のユーザによる選択を受け付ける受付ステップと、
前記受付ステップの処理により選択が受け付けられた前記番組属性情報の記憶を制御する記憶制御ステップと、
放送される番組に関する放送番組情報を取得する第１の取得ステップと、
前記記憶制御ステップの処理により記憶が制御された前記番組属性情報を構成する番組を検索するための検索条件を取得する第２の取得ステップと、
前記第１の取得ステップの処理により取得された前記放送番組情報と、前記第２の取得ステップの処理により取得された前記検索条件を比較する比較ステップと、
前記比較ステップの処理による比較結果に基づいて、前記第１の取得ステップの処理により取得された前記放送番組情報が、前記第２の取得ステップの処理により取得された前記検索条件を満足する場合、前記第１の取得ステップの処理により取得された前記放送番組情報に対応する前記番組を録画予約する予約ステップと
を実行させることを特徴とするプログラム。
【請求項８】
他の情報処理装置からのネットワークを介するアクセスを受け付ける受付手段と、
前記受付手段によりアクセスが受け付けられた前記他の情報処理装置から、前記他の情報処理装置のユーザが、録画を予約する番組を選択するとき使用する、録画を予約する前記番組の属性に関する番組属性情報の転送の要求を受信する受信手段と、
前記受信手段により前記要求が受信されたとき、番組属性名と、前記番組を検索するための検索条件を含む前記番組属性情報を、前記受付手段により受け付けられた前記他の情報処理装置に対して前記ネットワークを介して送信する送信手段と
を備えることを特徴とする情報処理装置。
【請求項９】
前記送信手段は、前記番組属性名として、洋画、昼のメロドラマ、再放送ドラマ、野球、サッカー、深夜バラエティ、演歌、クラシック、ニュース、料理、温泉、または囲碁・将棋等を含む番組属性名を送信する
ことを特徴とする請求項８に記載の情報処理装置。
【請求項１０】
前記送信手段は、前記検索条件として、前記番組のジャンル、前記番組が放送される曜日、前記番組が放送される時間帯、前記番組の長さ、前記番組のタイトルもしくは前記番組の内容を紹介する詳細情報に含まれるキーワード、または、前記番組のタイトルもしくは前記番組の内容を紹介する詳細情報に含まれることを排除する排除キーワードを含む検索条件を送信する
ことを特徴とする請求項８に記載の情報処理装置。
【請求項１１】
情報処理装置の情報処理方法において、
他の情報処理装置からのネットワークを介するアクセスを受け付ける受付ステップと、
前記受付ステップの処理によりアクセスが受け付けられた前記他の情報処理装置から、前記他の情報処理装置のユーザが、録画を予約する番組を選択するとき使用する、録画を予約する前記番組の属性に関する番組属性情報の転送の要求を受信する受信ステップと、
前記受信ステップの処理により前記要求が受信されたとき、番組属性名と、前記番組を検索するための検索条件を含む前記番組属性情報を、前記受付ステップの処理により受け付けられた前記他の情報処理装置に対して前記ネットワークを介して送信する送信ステップと
を含むことを特徴とする情報処理方法。
【請求項１２】
情報処理装置のプログラムであって
他の情報処理装置からのネットワークを介するアクセスを受け付ける受付ステップと、
前記受付ステップの処理によりアクセスが受け付けられた前記他の情報処理装置から、前記他の情報処理装置のユーザが、録画を予約する番組を選択するとき使用する、録画を予約する前記番組の属性に関する番組属性情報の転送の要求を受信する受信ステップと、
前記受信ステップの処理により前記要求が受信されたとき、番組属性名と、前記番組を検索するための検索条件を含む前記番組属性情報を、前記受付ステップの処理により受け付けられた前記他の情報処理装置に対して前記ネットワークを介して送信する送信ステップと
を含むことを特徴とするコンピュータが読み取り可能なプログラムが記録されている記録媒体。
【請求項１３】
情報処理装置を制御するコンピュータに、
他の情報処理装置からのネットワークを介するアクセスを受け付ける受付ステップと、
前記受付ステップの処理によりアクセスが受け付けられた前記他の情報処理装置から、前記他の情報処理装置のユーザが、録画を予約する番組を選択するとき使用する、録画を予約する前記番組の属性に関する番組属性情報の転送の要求を受信する受信ステップと、
前記受信ステップの処理により前記要求が受信されたとき、番組属性名と、前記番組を検索するための検索条件を含む前記番組属性情報を、前記受付ステップの処理により受け付けられた前記他の情報処理装置に対して前記ネットワークを介して送信する送信ステップと
を実行させることを特徴とするプログラム。
【手続補正２】
【補正対象書類名】明細書
【補正対象項目名】０００８
【補正方法】変更
【補正の内容】
【０００８】
【課題を解決するための手段】
本発明の第１の情報処理装置は、番組の属性に関する番組属性情報を構成する複数の番組属性名を提示する提示手段と、提示手段により提示された番組属性名に基づく番組属性情報のユーザによる選択を受け付ける受付手段と、受付手段により選択が受け付けられた番組属性情報を記憶する記憶手段と、放送される番組に関する放送番組情報を取得する第１の取得手段と、記憶手段に記憶された番組属性情報を構成する番組を検索するための検索条件を取得する第２の取得手段と、第１の取得手段により取得された放送番組情報と、第２の取得手段により取得された検索条件を比較する比較手段と、比較手段による比較結果に基づいて、第１の取得手段により取得された放送番組情報が、第２の取得手段により取得された検索条件を満足する場合、第１の取得手段により取得された放送番組情報に対応する番組を録画予約する予約手段とを備えることを特徴とする。
【手続補正３】
【補正対象書類名】明細書
【補正対象項目名】０００９
【補正方法】変更
【補正の内容】
【０００９】
前記提示手段は、番組属性名として、洋画、昼のメロドラマ、再放送ドラマ、野球、サッカー、深夜バラエティ、演歌、クラシック、ニュース、料理、温泉、または囲碁・将棋等を含む番組属性名を提示することができる。
【手続補正４】
【補正対象書類名】明細書
【補正対象項目名】００１０
【補正方法】変更
【補正の内容】
【００１０】
前記第２の取得手段は、検索条件として、番組のジャンル、番組が放送される曜日、番組が放送される時間帯、番組の長さ、番組のタイトルもしくは番組の内容を紹介する詳細情報に含まれるキーワード、または、番組のタイトルもしくは番組の内容を紹介する詳細情報に含まれることを排除する排除キーワードを含む検索条件を取得することができる。
【手続補正５】
【補正対象書類名】明細書
【補正対象項目名】００１２
【補正方法】変更
【補正の内容】
【００１２】
本発明の第１の情報処理方法は、番組の属性に関する番組属性情報を構成する複数の番組属性名を提示する提示ステップと、提示ステップの処理により提示された番組属性名に基づく番組属性情報のユーザによる選択を受け付ける受付ステップと、受付ステップの処理により選択が受け付けられた番組属性情報の記憶を制御する記憶制御ステップと、放送される番組に関する放送番組情報を取得する第１の取得ステップと、記憶制御ステップの処理により記憶が制御された番組属性情報を構成する番組を検索するための検索条件を取得する第２の取得ステップと、第１の取得ステップの処理により取得された放送番組情報と、第２の取得ステップの処理により取得された検索条件を比較する比較ステップと、比較ステップの処理による比較結果に基づいて、第１の取得ステップの処理により取得された放送番組情報が、第２の取得ステップの処理により取得された検索条件を満足する場合、第１の取得ステップの処理により取得された放送番組情報に対応する番組を録画予約する予約ステップとを含むことを特徴とする。
【手続補正６】
【補正対象書類名】明細書
【補正対象項目名】００１３
【補正方法】変更
【補正の内容】
【００１３】
本発明の第１の記録媒体のプログラムは、情報処理装置のプログラムであって、番組の属性に関する番組属性情報を構成する複数の番組属性名を提示する提示ステップと、提示ステップの処理により提示された番組属性名に基づく番組属性情報のユーザによる選択を受け付ける受付ステップと、受付ステップの処理により選択が受け付けられた番組属性情報の記憶を制御する記憶制御ステップと、放送される番組に関する放送番組情報を取得する第１の取得ステップと、記憶制御ステップの処理により記憶が制御された番組属性情報を構成する番組を検索するための検索条件を取得する第２の取得ステップと、第１の取得ステップの処理により取得された放送番組情報と、第２の取得ステップの処理により取得された検索条件を比較する比較ステップと、比較ステップの処理による比較結果に基づいて、第１の取得ステップの処理により取得された放送番組情報が、第２の取得ステップの処理により取得された検索条件を満足する場合、第１の取得ステップの処理により取得された放送番組情報に対応する番組を録画予約する予約ステップとを含むことを特徴とする。
【手続補正７】
【補正対象書類名】明細書
【補正対象項目名】００１４
【補正方法】変更
【補正の内容】
【００１４】
本発明の第１のプログラムは、番組の属性に関する番組属性情報を構成する複数の番組属性名を提示する提示ステップと、提示ステップの処理により提示された番組属性名に基づく番組属性情報のユーザによる選択を受け付ける受付ステップと、受付ステップの処理により選択が受け付けられた番組属性情報の記憶を制御する記憶制御ステップと、放送される番組に関する放送番組情報を取得する第１の取得ステップと、記憶制御ステップの処理により記憶が制御された番組属性情報を構成する番組を検索するための検索条件を取得する第２の取得ステップと、第１の取得ステップの処理により取得された放送番組情報と、第２の取得ステップの処理により取得された検索条件を比較する比較ステップと、比較ステップの処理による比較結果に基づいて、第１の取得ステップの処理により取得された放送番組情報が、第２の取得ステップの処理により取得された検索条件を満足する場合、第１の取得ステップの処理により取得された放送番組情報に対応する番組を録画予約する予約ステップとを実行させることを特徴とする。
【手続補正８】
【補正対象書類名】明細書
【補正対象項目名】００１６
【補正方法】変更
【補正の内容】
【００１６】
前記送信手段は、番組属性名として、洋画、昼のメロドラマ、再放送ドラマ、野球、サッカー、深夜バラエティ、演歌、クラシック、ニュース、料理、温泉、または囲碁・将棋等を含む番組属性名を送信することができる。